【事件の表示】
　特許第２９５２３１９号「浴室の換気装置と換気扇」の請求項１ないし５に係る特許に対する特許異議の申立てについて、次のとおり決定する。
【結　論】
　訂正を認める。
　特許第２９５２３１９号の請求項１、２、４、５に係る特許を取り消す。
　同請求項３に係る特許を維持する。
【理　由】
１．手続の経緯
　特許第2952319号の請求項１〜５に係る発明についての出願は、平成７年３月２３日に特許出願され、平成１１年７月１６日にその発明について特許の設定登録がなされ、その後、その特許について、特許異議申立人弘中正子より特許異議の申立がなされ、取消理由通知がなされ、その指定期間内である平成１２年９月１８日に訂正請求がなされたものである。
　
２．訂正の適否についての判断
（１）訂正の内容
　特許権者が求めている訂正の内容は以下のａ〜ｃのとおりである。
ａ．特許請求の範囲の請求項１において、
「浴室天井の換気用開口部に、排気用の換気扇を設けた換気装置において、前記換気扇によって吸入された浴室の排気の一部を、浴室天井面に沿う方向に向けて設けられた出口から浴室内に環流させて、天井面に沿って流す排気環流機構を設けてなることを特徴とする浴室の換気装置。」とあるのを、
「給気口を備えた浴室における天井の換気用開口部に、排気用の換気扇を設けた換気装置において、前記換気扇によって吸入された浴室の排気の一部を、浴室天井面に沿う方向に向けて設けられた出口から浴室内に環流させて、天井面に沿って流す排気環流機構を設けてなることを特徴とする浴室の換気装置。」と訂正する。
　
ｂ．明細書の段落０００８の第３行目（特許第２９５２３１９号公報第２頁第４欄第１４行）の「浴室天井の」を「給気口を備えた浴室における天井の」と訂正する。
　
ｃ．明細書の段落００２５の第３行目（特許第２９５２３１９号公報第３頁第６欄第４９行）の「本発明によれば、」の後に、「給気口を備えた浴室において、」を加入する。
　
（２）訂正の目的の適否、新規事項の有無及び拡張・変更の存否
　上記訂正事項ａは、もとの請求項１に記載された「浴室」を限定しようとするもので、特許請求の範囲の減縮を目的としたものである。
　また、上記訂正事項ｂ、ｃは上記訂正事項ａの訂正に伴って明瞭でなくなった発明の詳細な説明を明瞭にした訂正であって、明瞭でない記載の釈明を目的とするものである。
　そして、上記ａ〜ｃの訂正は、願書に最初に添付した明細書または図面に記載された範囲内においてなされたものであり、また、実質的に特許請求の範囲を拡張し、または変更するものではない。
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
３．取消理由についての判断
（１）訂正明細書の請求項１〜５に係る発明
　訂正明細書の請求項１〜５に係る発明は上記２．で認定したとおり平成１２年９月１８日付けで提出された訂正明細書の特許請求の範囲の請求項１〜５に記載された次のとおりのものである。
「【請求項１】　給気口を備えた浴室における天井の換気用開□部に、排気用の換気扇を設けた換気装置において、前記換気扇によって吸入された浴室の排気の一部を、浴室天井面に沿う方向に向けて設けられた出口から浴室内に環流させて、天井面に沿って流す排気環流機構を設けてなることを特徴とする浴室の換気装置。
【請求項２】　浴室とその浴室に隣接する部屋との出入口におけるドアに給気口が設けられるとともに、前記換気用開口部がこの給気口に対して平面から見て略対角状となる位置に配置してあることを特徴とする請求項１記載の浴室の換気装置。
【請求項３】　前記環流機構は、給気口から換気扇に向かって流れる換気流に対して、前記環流させた排気を、浴室とそれに隣接する給気口の設けられた部屋との仕切壁側の浴室コーナーであって、平面から見て上記換気流と交叉する方向のコーナーの一方向に向けて流すものであることを特徴とする請求項１又は２記載の浴室の換気装置。
【請求項４】　前記浴室に隣接する給気口が設けられた部屋が、脱衣室であることを特徴とする請求項２又は３記載の浴室の換気装置。
【請求項５】　浴室内の空気を吸引して浴室外に排出するファンの下流側に、排気の一部を室内側に環流させる分岐口が設けられ、この分岐口から環流した排気の浴室内の出口が、浴室天井面に沿う方向に向けられていることを特徴とする換気扇。」　
　
（２）取消理由の概要
　当審で通知した取消理由は、請求項１，５に係る発明は刊行物１及び２記載の発明に基づいて、また、請求項２，４に係る発明は刊行物１〜４記載の発明の基づいて当業者が容易に発明をすることができたものであるから、請求項１，２，４，５に係る発明の特許は、特許法第２９条第２項に違反してなされたものであるというものである。
　
（３）引用刊行物に記載の発明
・刊行物１：実願昭62-189870号（実開平1-94853号）のマイクロフィルム（異議申立人提出の甲第１号証）
・刊行物２：実願昭57-36977号（実開昭58-138594号）のマイクロフィルム
・刊行物３：特開平5-295903号
・刊行物４：「新住宅時代の暖（冷）房と換気設備の手引き」第２版　（株）北海道住宅新聞社　平成４年１０月１５日発行　第２４頁
　
　刊行物１には、
「本考案は浴室の天井裏に取り付け、浴室の換気、乾燥、暖房、送風等を行う換気装置に関するものである。」（明細書第１頁１４〜１６行）、
「本考案はこのような問題点を解決するもので、換気装置の設置位置などに関係なく効率良く乾燥を行なうことが可能な換気装置を提供することを目的とするものである。
　問題点を解決するための手段
　この問題点を解決するために本考案は、部屋の天井裏に設置した換気装置の本体の内部に送風機を設け、前記送風機の吐出側は部屋内へ連通する第１吐出口と、屋外へ連通する第２吐出口を有し、前記第１吐出口には案内羽根と回転グリルを設け、前記第１吐出口と前記送風機との風路途中にはヒータを設け、前記送風機の吸込側は屋内に連通した換気装置の構成としたものである。
　作　用
　この構成により、送風機を運転すると吸込口より吸込まれた部屋内の空気は、その一部は第２吐出口より屋外へ排出され、一部は第１吐出口よりヒータで加熱され屋内へ戻される。そのとき案内羽根と回転グリルにより吐出方向を自由に変えられることとなる。」（明細書第３頁１〜２０行）、及び、
「また前記ヒータ６に電源を投入しない状態で送風機２を運転することにより、換気として、また夏場は扇風機がわりの送風として利用することが可能である。」（明細書第５頁３〜６行）と記載されており、浴室天井における換気用開口部に、排気用の換気扇を設けた換気装置において、前記換気扇によって吸入された浴室の排気の一部を、浴室天井面に設けられた出口から浴室内に環流させる排気環流機構を設けてなる浴室の換気装置が、また、浴室内の空気を吸引して浴室外に排出するファンの下流側に、排気の一部を室内側に環流させる分岐口が設けられ、この分岐口から環流した排気の浴室内の出口の方向が、自由に変えられる換気扇が図面とともに記載されており、また、浴室を換気する際にはヒータを使用しない状態で送風機のみを運転することにより換気することについても記載されている。
　
　刊行物２には、
「したがって、この考案の目的は、天井面の結露防止を行なうことのできる浴室換気装置を提供することである。
　この考案の一実施例を第２図および第３図に示す。図において、５は浴室換気装置の本体ケ−スであり、浴室の天井面１６に下部が突出して天井裏に設置されている。本体ケ−ス５の側面には屋外に開通した吸気ダクト６と排気ダクト７とが接続され、本体ケース５の天井面下に突出した部分の４側の各側面に吸入口兼用の温風出口８が設けられている。温風出口８は真横に向いているが、斜め上方に向けてもよい。本体ケース５の内部にはファン９とヒータ１０とが設けられ、吸気ダクト６と排気ダクト７にそれそれダンパ１１，１２が設けられている。」（明細書第２頁３〜１７行）、及び、
「まず、結露防止を行う場合は、ヒータ１０を通電、換気シャッタ１５を開の状態としてファン９を吹き出し側に回転させる。これにより温風が温風出口８から天井面６に吹き出され（第２図の実線矢印Ａ）、天井面６が温度上昇し、結露がなくなる。‥‥‥急速な排出を行なうとき、あるいは寒冷時には、次のようにする。すなわち、ヒータ１０を切、換気シャッタ１５を開の状態にしてファン９を吸込側に回転させる。これにより、浴室内の空気を屋外に排出することができる（第１図の鎖線矢印Ｂ）。」（明細書第３頁２〜２０行）と記載されており、浴室天井面の結露を防止すべく、浴室天井の換気用開口部に、吸排気用の換気扇を設けた換気装置において、前記換気扇によって浴室内に換気流を導入するに際して、浴室天井面に沿う方向に向けて設けられた出口から換気流を浴室内に導入して、天井面に沿って流すこと、及び、ファンを吸込側に回転させてファンにより浴室内の空気を屋外に排出する際には換気シャッタ部を給気口とすることが図面とともに記載されている。
　
　刊行物３には、
「【００１２】‥‥図１〜２において、Ａは浴室であり、浴槽１と洗い場２とこの両者を囲む壁３と洗い場２と脱衣室４との境界の壁３に取り付けられた扉５とからなる。
【００１３】扉５には下部にガラリ窓５１が設けられていて、このガラリ窓５１には通孔５２が設けられている。そして、この通孔５２はハンドル７を回転させることにより開閉自在になっている。
【００１４】６は換気扇であり、壁３の上部に取り付けられている。‥‥」（発明の詳細な説明の段落【００１２】〜【００１４】）と記載されており、浴室とその浴室に隣接する脱衣室との出入口におけるドアに給気口が設けられるとともに、換気用開口部がこの給気口に対して側面から見て略対角状となる位置に配置してある換気装置が図面とともに記載されている。
　
　刊行物４には、「独立した部屋での換気計画は、給気口と排気口をできるだけ離し、対角線に配置するようにします。給気口と排気口が近すぎたり、片寄りすぎていると、ショートサーキットと言って、せっかく導入した空気がすぐ排気され、十分に新鮮空気と汚れた空気を入れ換えることができません。給気口と排気口はできるだけ離すことが、一方通行の空気の流れをつくるポイントです。」（第２４頁左欄１２行〜同頁右欄２行）と記載されており、効率的に換気すべく、排気口を給気口に対して対角状となる位置に配置することが記載されている。
　
（４）対比・判断
ａ．請求項１に係る発明について
　請求項１に係る発明と刊行物１に記載された発明とを対比すると、両者は、浴室における天井の換気用開口部に、排気用の換気扇を設けた換気装置において、前記換気扇によって吸入された浴室の排気の一部を、浴室天井面に設けられた出口から浴室内に環流させる排気環流機構を設けてなることを特徴とする浴室の換気装置である点で一致するが、請求項１に係る発明が浴室に給気口を備えているのに対し、刊行物１には給気口についての記載がない点（相違点１）、及び、請求項１に係る発明が浴室に導入する換気流をを浴室天井面に沿う方向に向けられた出口から天井面に沿って流すようにしたのに対し、刊行物１に記載の発明では換気流方向が自由に変えられるようにした点（相違点２）で相違する。
　しかしながら、前記したごとく、刊行物２には、換気扇により浴室内の空気を排出する際、浴室内に給気口から空気を導入すること、及び、換気装置により浴室天井面の結露を防止すべく、浴室天井の換気用開口部に、浴室内に導入される換気流を、浴室天井面に沿う方向に向けて設けられた出口から浴室内に導入して、天井面に沿って流す機構を設けてなる浴室の換気装置が記載されており、刊行物１に記載の換気装置に、刊行物２に記載の上記各手段を適用して請求項１に係る発明のごとく構成することは当業者が容易になし得たものである。
  そして、請求項１に係る発明の効果は各刊行物に記載された事項から予測できることである。
                                      
ｂ．請求項２に係る発明について
　請求項２に係る発明と刊行物１に記載された発明とを対比すると、請求項２に係る発明は請求項１に係る発明をさらに限定するものであるから、両者は、請求項１について述べた点と同一の点で一致し、請求項１について述べた上記相違点１及び２に加えて、浴室とその浴室に隣接する部屋との出入口におけるドアに給気口が設けられた点（相違点３）、及び、前記換気用開口部がこの給気口に対して平面から見て略対角状となる位置に配置してある点（相違点４）で相違する。　
　しかしながら、相違点１及び２について上記したとおりであり、相違点３については、前記したごとく刊行物３に記載されており、また、相違点４については、刊行物４に、部屋を効率的に換気するには、換気用開口部を吸気口に対して対角状となる位置に配置するのがよいことが記載されており、刊行物１に記載の換気装置において、刊行物２，３，４に記載のこれらの手段を適用して請求項２に係る発明のごとく構成することは当業者が容易になし得たものである。
  そして、請求項２に係る発明の効果は各刊行物に記載された事項から予測できることである。
　
ｃ．請求項４に係る発明について
　請求項４に係る発明と刊行物１に記載された発明とを対比すると、請求項４に係る発明は請求項２又は請求項３に係る発明をさらに限定するものであるから、両者は、請求項１について述べた点と同一の点で一致し、請求項１について述べた上記相違点１、２及び請求項２について述べた上記相違点３，４に加えて、浴室に隣接する給気口が設けられた部屋が、脱衣室である点（相違点５）で相違する。　
　しかしながら、相違点１〜４については上記したとおりであり、相違点５については、前記したごとく刊行物３に記載されており、刊行物１に記載の換気装置において、刊行物２，３，４に記載のこれらの手段を適用して請求項４に係る発明のごとく構成することは当業者が容易になし得たものである。
  そして、請求項４に係る発明の効果は各刊行物に記載された事項から予測できることである。
　
ｄ．請求項５に係る発明について
　請求項５に係る発明と刊行物１に記載された発明とを対比すると、両者は、浴室内の空気を吸引して浴室外に排出するファンの下流側に、排気の一部を室内側に環流させる分岐口が設けられ、この分岐口から環流した排気の浴室内の出口が、浴室天井面に設けられている換気扇である点で一致し、請求項５に係る発明が分岐口から環流した排気の浴室内の出口が、浴室天井面に沿う方向に向けられているのに対し、刊行物１に記載された発明では換気流の吐出方向が自由に変えられるようにした点（相違点６）で相違する。
　しかしながら、前記したごとく、刊行物２には、浴室天井面の結露を防止すべく、浴室天井の換気用開口部に、浴室内に導入される換気流を、浴室天井面に沿う方向に向けて設けられた出口から浴室内に導入して、天井面に沿って流す機構を設けてなる浴室の換気装置が記載されており、刊行物１に記載の換気扇に、刊行物２に記載の上記手段を適用して請求項５に係る発明のごとく構成することは当業者が容易になし得たものである。
  そして、請求項５に係る発明の効果は各刊行物に記載された事項から予測できることである。
　
　したがって、請求項１，２，４，５に係る発明は、前記刊行物１〜４に記載された事項に基づいて当業者が容易に発明をすることができたものであり、これらの発明に係る特許は、特許法第２９条第２項に違反してなされたものである。
　
４．特許異議の申立についての判断
（１）申立の理由の概要
　特許異議申立人弘中正子は、
甲第１号証（実願昭62-189870号（実開平1-94853号）のマイクロフィルム）、 
甲第２号証（空気調和・衛生工学会学術講演会講演論文集［‘９４．１０．７〜１０．９（熊本）］「Ｃ−２０　同時給排気型換気設備による浴室内の防カビ対策」）、及び
甲第３号証（実願昭60-122850号（実開昭62-31228号）のマイクロフィルム）を提出し、本件請求項１〜５に係る発明は甲第１号証ないし甲第３号証の２記載の発明に基づいて、当業者が容易に発明をすることができるものであり、特許法第２９条第２項の規定に違反して特許がなされたものであり、取り消されるべきものである旨主張している。
　
（２）特許異議申立人が提出した甲各号証記載の発明
　特許異議申立人が提出した甲第１号証（実願昭62-189870号（実開平1-94853号）のマイクロフィルム）の記載事項は、前記取消理由の引用刊行物１についての記載のとおりである。
　
　特許異議申立人が提出した甲第２号証（空気調和・衛生工学会学術講演会講演論文集［‘９４．１０．７〜１０．９（熊本）］「Ｃ−２０　同時給排気型換気設備による浴室内の防カビ対策」）には、「‥‥既存の換気設備では壁面の上部、特に隅角部や天井面が乾燥しにくいと判断できたので‥‥」（第６５７頁右欄２〜４行）と記載されており、本件特許発明の課題である浴室天井面や、隅角部が乾燥しにくいことが記載されている。
　
　特許異議申立人が提出した甲第３号証（実願昭60-122850号（実開昭62-31228号）のマイクロフィルム）には、「本考案は、例えば事務所や各種店舗、更には一般家庭において室内空気を強制的、積極的に循環させることにより、空調、特に暖冷房に要するエネルギーの節減、並びに室内温度差の縮小に伴う快適暖冷房の実現を図るべく用いられる室内空気循環機に関する。」（明細書第２頁５〜１０行）、及び
「而して、上記構成の先願機によれば、前記下向き吸引口から吸込んだ室内空気が天井面付近において遠心ファンを介して水平又は略水平方向に吹出され、天井面に沿って流動して壁面などに衝突し、‥‥‥これによって天井面付近での熱気の滞留、床面付近での冷気の停滞を極力抑制し、室内の上下方向の温度差を少なくし、快適でかつ省エネルギー効果のある暖冷房を実現できるのである。」（明細書第３頁４〜１８行）と記載されており、天井面に設けた室内空気循環器において、下向き吸引口から吸い込んだ室内空気を天井面に沿う方向に方向に向けて設けられた出口から天井面に沿って環流させるようにしたものが図面とともに記載されている。
　
（３）対比・判断
　請求項１，２，４，５については、取消理由についての判断で述べたとおりであるから、請求項３に係る発明について検討する。
　本件請求項３に係る発明と特許異議申立人が提出した甲各号証に記載された発明とを対比すると、甲各号証には、請求項３に係る発明の「前記環流させた排気を、浴室とそれに隣接する給気口の設けられた部屋との仕切壁側の浴室コーナーであって、平面から見て上記換気流と交叉する方向のコーナーの一方向に向けて流すものである」構成とした点が記載されておらず、かかる事項を示唆する記載もない。
　そして、本件請求項３に係る発明は、かかる事項を構成要件としたことにより、本件明細書に記載された顕著な効果を奏するものである。
  よって、本件請求項３に係る発明は、特許異議申立人が提出した甲各号証に記載された発明に基づいて当業者が容易に発明をすることができたものであるとすることはできない。
　
５．むすび
　以上のとおりであるから、本件請求項１，２，４，５に係る発明の特許は、上記刊行物に記載された発明に基づいて当業者が容易に発明をすることができたものであるから、本件請求項１，２，４，５に係る発明の特許は特許法第２９条第２項の規定に違反してなされたものであり、特許法第１１３条第２号に該当し、取り消されるべきものである。
　また、本件請求項３に係る発明の特許については、取消理由を発見しない。
　よって、結論のとおり決定する。
【異議決定日】
平成１２年１１月７日（２０００．１１．７）
【訂正の要旨】
（１）訂正の内容
　特許権者が求めている訂正の内容は以下のａ〜ｃのとおりである。
ａ．特許請求の範囲の請求項１において、
「浴室天井の換気用開口部に、排気用の換気扇を設けた換気装置において、前記換気扇によって吸入された浴室の排気の一部を、浴室天井面に沿う方向に向けて設けられた出口から浴室内に環流させて、天井面に沿って流す排気環流機構を設けてなることを特徴とする浴室の換気装置。」とあるのを、
「給気口を備えた浴室における天井の換気用開口部に、排気用の換気扇を設けた換気装置において、前記換気扇によって吸入された浴室の排気の一部を、浴室天井面に沿う方向に向けて設けられた出口から浴室内に環流させて、天井面に沿って流す排気環流機構を設けてなることを特徴とする浴室の換気装置。」と訂正する。
ｂ．明細書の段落０００８の第３行目（特許第２９５２３１９号公報第２頁第４欄第１４行）の「浴室天井の」を「給気口を備えた浴室における天井の」と訂正する。
ｃ．明細書の段落００２５の第３行目（特許第２９５２３１９号公報第３頁第６欄第４９行）の「本発明によれば、」の後に、「給気口を備えた浴室において、」を加入する。
（５４）【発明の名称】
浴室の換気装置と換気扇
（５７）【特許請求の範囲】
　【請求項１】　
給気口を備えた浴室における
　【請求項２】　浴室とその浴室に隣接する部屋との出入口におけるドアに給気口が設けられるとともに、前記換気用開口部がこの給気口に対して平面から見て略対角状となる位置に配置してあることを特徴とする請求項１記載の浴室の換気装置。
　【請求項３】　前記環流機構は、給気口から換気扇に向かって流れる換気流に対して、前記環流させた排気を、浴室とそれに隣接する給気口の設けられた部屋との仕切壁側の浴室コーナーであって、平面から見て上記換気流と交叉する方向のコーナーの一方向に向けて流すものであることを特徴とする請求項１又は２記載の浴室の換気装置。
　【請求項４】　前記浴室に隣接する給気口が設けられた部屋が、脱衣室であることを特徴とする請求項２又は３記載の浴室の換気装置。
　【請求項５】　浴室内の空気を吸引して浴室外に排出するファンの下流側に、排気の一部を室内側に環流させる分岐口が設けられ、この分岐口から環流した排気の浴室内の出口が、浴室天井面に沿う方向に向けられていることを特徴とする換気扇。
【発明の詳細な説明】
　【０００１】
　【産業上の利用分野】
　本発明は、浴室及びこの浴室に隣接する脱衣室を換気するために用いられる換気装置と換気扇に関する。
　【０００２】
　【従来技術】
　図５は、典型的な従来技術の換気装置（６０）を説明するための簡略化した断面図である。脱衣室（４１）から浴室（４２）への入口に設けられたドア（４３）の下部部分には、ガラリ付きの換気口（４４）が設けられ、この換気口（４４）との略対角に該当する浴室（４２）の天井部分に開口（４５）を設けてファン（４６）が取り付けられ、ドア（４３）下部の換気口（４４）から矢符（５１）で示すように給気されて、ファン（４６）によって矢符（５２）で示すように排気が行われる。また、ファン（４６）と、脱衣室（４１）とを結ぶ方向で、かつファン（４６）が設けられる壁側には、浴槽（５８）が設けられる。このファン（４６）は、一般にタイマー式のものが用いられ、通常は９０分で切れるようになっている。
　【０００３】
　図６は、図５の浴室（４２）を上部から見た平面図であり、各値は、浴室内にシャワーを散湯し、散湯開始後３０分経過した時点で換気扇を稼働させ、その後の湿度などを計測した結果、計測された計測点（・）における乾燥に要した時間と湿度９５％に低減する時間を示す。前記各計測点における、上部に示される数字は、乾燥に要する時間（分）であり、下部に示される数字は、湿度９５％に低減する時間（分）である。図示するように、浴室（４２）内の各計測点のうち、天井側が乾燥に要する時間が長く、特に、ドア（４３）の換気口（４４）とファン（４６）とを結ぶ対角線に対して交叉する対角線方向のファン（４６）側のコーナー部で、かつ天井部分の計測点（５３）が、最も乾燥に時間を要しており、この場合は乾燥に要する時間が１７２分となっており、上記９０分タイマーでは、結露が乾燥しないで残ってしまうことになる。他にも（５５）（５６）の計測点が乾燥に要する時間が９０分を越えており、９０分タイマーでは、乾燥しきれない。このように、結露が乾燥しきれず残る箇所は、結露した水分にほこり、ゴミ等を養分としてかびが発生してしまう。
　【０００４】
　また、図７は、他の典型的な従来技術の換気装置（７０）を説明するための簡略化した断面図である。この従来技術は前述の従来技術とほぼ類似し、相違するところは、ドア（４３）の下部部分の換気口は、閉じられ、開口（４５）には、排気用と給気用の２つのファン（４７）（４８）が設けられ、外部から取り入れた給気用ファン（４８）からの給気を、矢符（５４）で示すように、天井面（４９）に沿って流すようにした点であり、このようにして、乾燥に効果的な外気を導入することで、給気の不足による換気風量の不足や乾燥速度の遅延を解消している。
　【０００５】
　【発明が解決しようとする課題】
　上述のように、９０分タイマーでは、乾燥しきれない箇所が残り、この対策としては、流量を大きくする、又はタイマー時間をたとえば１７０分程度まで長くするということが考えられるけれども、このようにすると、電力消費量が大きくなり、電気代が高くなるという問題がある。
　【０００６】
　また、２つのファン（４７）（４８）を開口（４５）に取り付けるのは、ドア（４３）側の換気口（４４）が閉じられるので、脱衣室（４１）側の換気ができず、ファン（４７）（４８）を２つ設けるのでコストアップになり、電力消費量が大となり、また冬場は外気が低温であることから、浴室（４２）内側の空気より重いため、下に降りようとして天井面（４９）に沿って流れにくくなるという問題がある。
　【０００７】
　従って、本発明の目的は、電力の消費を多くすることなく、浴室内全体の乾燥時間を短縮化することのできる浴室の換気装置と換気扇を提供することである。
　【０００８】
　【課題を解決するための手段】
　本発明は、
給気口を備えた浴室における
　【０００９】
　また、本発明は、浴室とその浴室に隣接する部屋との出入口におけるドアに給気口が設けられるとともに、前記換気用開口部がこの給気口に対して平面から見て略対角状となる位置に配置してあることを特徴とする。
　【００１０】
　更に本発明は、前記環流機構は、給気口から換気扇に向かって流れる換気流に対して、前記環流させた排気を、浴室とそれに隣接する給気口の設けられた部屋との仕切壁側の浴室コーナーであって、平面から見て上記換気流と交叉する方向のコーナーの一方向に向けて流すものであることを特徴とする。
　【００１１】
　更に、本発明は、前記浴室に隣接する給気口が設けられた部屋が、脱衣室であることを特徴とする。
　【００１２】
　また、本発明の換気扇は、浴室内の空気を吸引して浴室外に排出するファンの下流側に、排気の一部を室内側に環流させる分岐口が設けられ、この分岐口から環流した排気の浴室内の出口が、浴室天井面に沿う方向に向けられていることを特徴とする。
　【００１３】
　【作用】
　本発明に従えば、浴室の換気用開口部に排気用の換気扇を設け、前記換気扇によって吸入された排気の一部を、排気環流機構によって、浴室内に環流させて、天井面に沿って流すようにする。このように、換気扇で排気中の排気を浴室内側に供給できるようにして取り出し、強制環流として天井面に沿って流すので、乾燥に時間が必要であった天井面側を早期に乾燥させることができる。
　【００１４】
　また本発明に従えば、浴室とその浴室に隣接する部屋との出入口におけるドアに設けられる給気口から給気が取り入れられ、この給気口に対して平面から見て略対角状となる位置に配置してある換気用換気口から排気が行われて、前記隣接する部屋と浴室との換気が行われる。
　【００１５】
　さらに本発明に従えば、給気口から換気扇に向かって流れる換気流に対して、前記環流させた排気は、前記環流機構によって、浴室とそれに隣接する給気口の設けられた部屋との仕切壁側の浴室コーナーであって、平面から見て上記換気流と交叉する方向のコーナーの一方向に向けて流される。このように、最も乾燥しにくい一方向に流されるので、乾燥に時間が必要であった部分を、より効果的に乾燥させることができる。
　【００１６】
　さらに本発明に従えば、前記浴室に隣接する給気口が設けられた部屋は、脱衣室である。
　【００１７】
　さらに本発明に従えば、浴室内の空気を吸引して排出するファンの下流側に、分岐口を設け、ファンから排出される排気の一部を、前記分岐口から室内側に環流させる。
　【００１８】
　さらに本発明に従えば、前記分岐口から環流した排気の浴室内への出口は、浴室天井面に沿う方向に向けられているので、排気の一部は、分岐口を通過して、浴室内の天井面に沿って流される。
　【００１９】
　【実施例】
　図１は、本発明の一実施例の換気装置（２０）を説明するための簡略化した断面図である。脱衣室（１）から浴室（２）への入口に設けられたドア（３）の下部部分には、ガラリ付きの換気口（４）が設けられ、この換気口（４）と平面から見て略対角に該当する浴室（２）の天井部分には、換気扇（５）が取り付けられる。また、前記換気扇（５）と、脱衣室（１）とを結ぶ方向で、かつ換気扇（５）が設けられる壁側には、浴槽（３５）が設けられる。
　【００２０】
　図２は、換気扇（５）を説明するための簡略化した拡大断面図である。換気扇（５）は、たとえばシロッコファン等と呼ばれるファン（７）を使用しており、このファン（７）は、排気パイプ（１０）を有するファンケース（３４）に収納されて支持されており、排気を軸心方向から取り入れて外周方向に流す。このファンケース（３４）には、ファン（７）の下流側に分岐口（８）が設けられ、ガイド（９）で前記排気の一部を浴室（２）内側に流させるようにする。前記ファンケース（３４）は、排気パイプ（１０）を外側に突出した状態で、下部に開口のある箱形の外部ケース（１１）に支持されて収納され、ファン（７）の上流側の給気口（１２）を形成する外側周端部には吸気管（１３）の一端部が固定され、この吸気管（１３）の他端部には、グリルプレート（１４）が、このグリルプレート（１４）に設けられる網部（１５）に前記吸気管（１３）の中空部を合致させた状態で固定される。このとき、このグリルプレート（１４）と外部ケース（１１）との間には、間隙が形成される。このようにして、外部ケース（１１）とファンケース（３４）周辺との間に形成される空間（１７）をチャンバーとして前記間隙から吹き出し気流を作り出す。また、グリルプレート（１４）は、前記吹き出し気流を、浴室（２）内の天井面（１８）に沿って流すためのガイドともなっている。このグリルプレート（１４）によって、前記分岐口（８）から環流した排気の浴室（２）内への出口（１６）が、浴室（２）の天井面（１８）に沿う方向に向けられる。
　【００２１】
　このような構成によって、ドア（３）の換気口（４）から矢符（１９）で示すように、給気が取り入れられ、浴室（２）内の排気は、矢符（２１）に示すように、吸気口である網部（１５）から吸気管（１３）によって形成される給気通路（２２）を通過してファン（７）に取り入れられ、矢符（２３）で示すように、ファンケース（３４）の排気パイプ（１０）から排出されるとともに、前記排気の一部は、矢符（２４）で示すように、分岐口（８）及びガイド（９）によって形成される分岐通路（２５）を通過して、グリルプレート（１４）をガイドとして出口（１６）から矢符（２６）で示されるように、天井面（１８）に沿って流される。
　【００２２】
　図４は、図１の浴室（２）を上部から見た平面図であり、上述の換気装置（２０）を用いて換気を行った実験結果である。各値は、浴室内にシャワーを散湯し、散湯開始後３０分経過した時点で換気扇を稼働させ、その後の湿度などを計測した結果、計測された計測点（・）における乾燥に要した時間と湿度９５％に低減する時間を示す。前記各計測点における、上部に示される数字は、乾燥に要する時間（分）であり、下部に示される数字は、湿度９５％に低減する時間（分）である。
　【００２３】
　図３は、分岐通路（２５）を通過した気流が、天井側のコーナー部に向けて矢符（２７）（２８）（２９）で示す３方向に吹き出すようにして計測した結果である。この結果と図６とを比較すると、排気の一部を浴室（２）内側の乾燥しにくい天井面（１８）に沿って流すことにより、天井面（１８）側での乾燥に要する時間が非常に短縮化されることがわかる。また、この場合、浴室（２）内の中間部分の乾燥に要する時間は、やや長くなり、計測点（３１）の乾燥に要する時間は９０分を僅かに越えるけれども、このようにすることによって、浴室（２）全体は、９０分タイマーで、ほぼ乾燥させることができる。
　【００２４】
　また、図４は、分岐通路（２５）を通過した気流が、天井面（１８）に沿って、最も乾燥しにくい矢符（３０）で示す一方向に吹き出すようにして計測した結果である。この最も乾燥しにくい一方向というのは、平面から見て、ドア（３）の換気口（４）と換気扇（５）とを結ぶ対角線に対して交叉する対角線方向の換気扇（５）側のコーナー部で、かつ天井部分（３２）に向かう方向である。この結果からわかるように、各計測点における乾燥に要する時間は、全体に均一化され、９０分タイマーならば、充分に全体を乾燥することができ、前述の図３の結果よりも好ましい結果が得られた。
　【００２５】
　【発明の効果】
　以上のように本発明によれば、
給気口を備えた浴室において、
　【００２６】
　したがって、換気扇のタイマー時間を長くしたり、流量を大きくしたりして、電力消費量を大きくしなくとも、浴室内全体の乾燥時間を短縮化することができるので、電気代の節減を図ることができる。
　【００２７】
　また好ましくは、浴室とその浴室に隣接する部屋との出入口におけるドアに設けられる給気口から給気が取り入れられ、この給気口に対して平面から見て略対角状となる位置に配置してある換気用換気口から排気が行われて、この排気の一部が、前記環流機構よって、給気口から換気扇に向かって流れる換気流に対して、浴室とそれに隣接する給気口の設けられた部屋との仕切壁側の浴室コーナーであって、上記換気流と交叉する方向のコーナーの一方向に向けて流される。このように、最も乾燥しにくい一方向に流されるので、より浴室内を均一的に乾燥させることができて効率がよくなり、浴室内全体の乾燥にかかる時間を、より短縮化することができる。また、浴室と隣接する部屋、たとえば脱衣室に給気口が設けられるので、隣室側の乾燥も行うことができる。
　【００２８】
　また本願発明では、ファンが一つですむので、製造コストが安くすみ、電気代も節減することができる。さらに、排気の一部を室内側に向けて流すので、室内側の空気よりも重いということがなく、円滑に天井面に沿って排気の一部を流すことができる。
　【００２９】
　さらに本発明に従えば、ファンの下流側に、排気の一部を浴室内側に環流させる分岐口を設けるという簡単な換気扇の構造で、ファンで排出中の排気の一部を浴室内側に戻すことを実現することができ、製造コストが安くなる。
　【００３０】
　さらに本発明に従えば、前記分岐口から環流した排気の浴室内の出口を、浴室天井面に沿う方向に向けるという簡単な換気扇の構造で、分岐口から環流した排気を天井面に沿う方向に流すことを実現することができ、製造コストが安くなる。
【図面の簡単な説明】
　【図１】
　本発明の一実施例の換気装置（２０）を説明するための簡略化した断面図である。
　【図２】
　換気扇（５）を説明するための簡略化した拡大断面図である。
　【図３】
　図１の浴室（２）を上部から見た平面図である。
　【図４】
　図１の浴室（２）を上部から見た平面図である。
　【図５】
　典型的な従来技術の換気装置（６０）を説明するための簡略化した断面図である。
　【図６】
　図５の浴室（４２）を上部から見た平面図である。
　【図７】
　他の典型的な従来技術の換気装置（７０）を説明するための簡略化した断面図である。
　【符号の説明】
　（１）　脱衣室
　（２）　浴室
　（４）　換気口
　（５）　換気扇
　（７）　ファン
　（１０）　排気パイプ
　（１６）　出口
　（２０）　換気装置
　（２５）　分岐通路